【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
流体サンプルを処理するためのシステムであって、
前記システムの回転構成において遠心分離アセンブリの軸の周りを回転するように構成される遠心分離アセンブリであって、流体サンプルを収容するための１つ以上のサンプルコンテナが接続される、遠心分離アセンブリと、
前記システムの超音波処理構成において、超音波エネルギーを前記１つ以上のサンプルコンテナへと向かわせるように構成され、前記１つ以上のサンプルコンテナは、前記超音波処理構成において、接触媒質を介して、トランスデューサアセンブリと音響的に結合するトランスデューサアセンブリと、
を含む、システム。
【請求項２】
前記システムの前記回転構成において、前記遠心分離アセンブリを前記遠心分離アセンブリの軸の周りに回転させる回転アセンブリと、
前記回転構成と前記超音波処理構成との間の遷移において前記遠心分離アセンブリの位置を調節するリフトアセンブリと、
を更に含む、請求項１のシステム。
【請求項３】
前記システムの前記回転構成において、前記遠心分離アセンブリを前記遠心分離アセンブリの軸の周りに回転させるために前記回転アセンブリを使用するステップと、
前記回転構成から前記超音波処理構成へと遷移するために前記リフトアセンブリを使用するステップと、
前記システムの前記超音波処理構成において、超音波エネルギーを前記トランスデューサアセンブリから前記１つ以上のサンプルコンテナへと向かわせるために前記トランスデューサアセンブリを使用するステップと、
前記超音波処理構成から前記回転構成へと遷移するために前記リフトアセンブリを使用するステップと、
を含むシーケンスを制御するように構成されたコントローラを更に含む、請求項２に記載のシステム。
【請求項４】
前記回転構成から前記超音波処理構成への遷移において、前記リフトアセンブリは、前記１つ以上のサンプルコンテナを前記トランスデューサアセンブリに音響的に結合する前記接触媒質と前記１つ以上のサンプルコンテナが結合するように前記遠心分離アセンブリの前記位置を調節し、
前記超音波処理構成から前記回転構成への遷移において、前記リフトアセンブリは、前記１つ以上のサンプルコンテナを前記トランスデューサアセンブリに音響的に結合する前記接触媒質との結合から前記１つ以上のサンプルコンテナが解放されるように前記遠心分離アセンブリの前記位置を調節する、
請求項２に記載のシステム。
【請求項５】
前記システムの前記回転構成において、前記遠心分離アセンブリを前記遠心分離アセンブリの軸の周りに回転させる回転アセンブリと、
リフトアセンブリの軸に沿って前記遠心分離アセンブリの位置を調節するリフトアセンブリであって、前記リフトアセンブリの軸は前記遠心分離アセンブリの軸に実質的に整列されている、リフトアセンブリと、
を更に含む、請求項１に記載のシステム。
【請求項６】
前記システムの前記回転構成において前記遠心分離アセンブリを前記遠心分離アセンブリの軸の周りに回転させるステップであって、前記システムの前記回転構成において前記１つ以上のサンプルコンテナは前記トランスデューサアセンブリから音響的に切り離されている、回転させるステップと、
前記１つ以上のサンプルコンテナと、前記トランスデューサアセンブリとの間の前記接触媒質を介した音響結合がもたらされるように、前記リフトアセンブリの軸に沿って前記遠心分離アセンブリの前記位置を調節するステップと、
前記システムの前記超音波処理構成において前記トランスデューサアセンブリからの超音波エネルギーを前記１つ以上のサンプルコンテナへと向かわせるステップであって、前記１つ以上のサンプルコンテナは、前記システムの前記超音波処理構成において、前記トランスデューサアセンブリに前記接触媒質を介して音響的に結合される、向かわせるステップと、
前記１つ以上のサンプルコンテナと、前記トランスデューサアセンブリとの間の前記接触媒質を介した前記音響結合が取り除かれるように、前記リフトアセンブリの軸に沿って前記遠心分離アセンブリの前記位置を調節するステップと、
を含むシーケンスを制御するように構成されたコントローラを更に含む、請求項５に記載のシステム。
【請求項７】
前記システムの前記回転構成において、前記遠心分離アセンブリを前記遠心分離アセンブリの軸の周りに回転させる回転アセンブリと、
リフトアセンブリの軸に沿って前記遠心分離アセンブリの位置を調節するリフトアセンブリであって、前記リフトアセンブリの軸は前記遠心分離アセンブリの軸に対して実質的に垂直である、リフトアセンブリと、
を更に含む、請求項１に記載のシステム。
【請求項８】
前記遠心分離アセンブリの軸の周りの回転と、前記リフトアセンブリの軸に沿った位置調節との連携を制御するように構成されたモーションコントローラであって、前記連携は前記１つ以上のサンプルコンテナの第１のサンプルコンテナによる周回運動をもたらし、前記周回運動は前記遠心分離アセンブリの軸と、前記リフトアセンブリの軸とを含む平面内にある、モーションコントローラと、
を更に含む、請求項７に記載のシステム。
【請求項９】
前記遠心分離アセンブリの軸は重力の方向に実質的に整列されており、
前記１つ以上のサンプルコンテナの第１のサンプルコンテナは、前記遠心分離アセンブリに第１のピボットで接続され、前記第１のピボットは前記第１のサンプルコンテナが、前記システムの前記回転構成において前記第１のサンプルコンテナの軸が前記重力の方向に実質的に整列されるように回転することを可能にする、
請求項１に記載のシステム。
【請求項１０】
前記遠心分離アセンブリの軸は重力の方向に実質的に整列されており、
前記システムは更に、リフトアセンブリの軸に沿って前記遠心分離アセンブリの位置を調節するリフトアセンブリであって、前記リフトアセンブリの軸は前記重力の方向に対して実質的に垂直である、リフトアセンブリを含む、
請求項１に記載のシステム。
【請求項１１】
前記遠心分離アセンブリの軸は重力の方向に対して実質的に垂直であり、
前記システムは更に、リフトアセンブリの軸に沿って前記遠心分離アセンブリの位置を調節するリフトアセンブリであって、前記リフトアセンブリの軸は前記重力の方向に実質的に整列されている、リフトアセンブリを含む、
請求項１に記載のシステム。
【請求項１２】
一体化された構成は、前記遠心分離アセンブリの回転の期間中に超音波エネルギーが前記サンプルコンテナに向かうように、前記回転構成と、前記超音波処理構成とを含む、請求項１に記載のシステム。
【請求項１３】
流体サンプルを処理する方法であって、
遠心分離アセンブリを遠心分離アセンブリの軸の周りで回転させるステップであって、流体サンプルを収容するための１つ以上のサンプルコンテナが前記遠心分離アセンブリに接続される、回転させるステップと、
前記遠心分離アセンブリを前記遠心分離アセンブリの軸の周りで前記回転させるステップの後で、前記１つ以上のサンプルコンテナと、超音波エネルギーを前記１つ以上のサンプルコンテナへと向かわせるように構成されたトランスデューサアセンブリとの間の音響結合をもたらすために、前記遠心分離アセンブリの位置を調節し、前記音響結合は、前記トランスデューサアセンブリと前記1つ以上のサンプルコンテナとに音響的に結合する接触媒質を介して有効とされるステップと、
前記１つ以上のサンプル容器と、前記トランスデューサアセンブリとの間の前記音響結合をもたらすために、前記遠心分離アセンブリの前記位置を前記調節するステップの後で、超音波エネルギーを前記１つ以上のサンプルコンテナへと向かわせるために前記トランスデューサアセンブリを使用するステップと、
を含む、方法。
【請求項１４】
超音波エネルギーを前記１つ以上のサンプルコンテナへと向かわせるために前記トランスデューサアセンブリを前記使用するステップの後で、前記１つ以上のサンプルコンテナと、前記トランスデューサアセンブリとの間の前記音響結合を取り除くために、前記遠心分離アセンブリの前記位置を調節するステップと、
前記１つ以上のサンプルコンテナと、前記トランスデューサアセンブリとの間の前記音響結合を取り除くために、前記遠心分離アセンブリの前記位置を前記調節するステップの後で、前記遠心分離アセンブリを前記遠心分離アセンブリの軸の周りで回転させるステップと、
を更に含む、請求項１３に記載の方法。
【請求項１５】
前記遠心分離アセンブリの前記位置が、前記遠心分離アセンブリの軸に実質的に整列されているリフトの軸に沿って調節される、請求項１３に記載の方法。
【請求項１６】
前記遠心分離アセンブリの軸が重力の方向に実質的に整列されている、請求項１５に記載の方法。
【請求項１７】
前記遠心分離アセンブリの前記位置が、前記遠心分離アセンブリの軸に対して実質的に垂直であるリフトの軸に沿って調節される、請求項１３に記載の方法。
【請求項１８】
前記リフトの軸が重力の方向に実質的に整列されている、請求項１７に記載の方法。
【請求項１９】
前記遠心分離アセンブリの軸は重力の方向に実質的に整列されており、
前記１つ以上のサンプルコンテナの第１のサンプルコンテナは、前記遠心分離アセンブリに第１のピボットで接続され、前記第１のピボットは前記第１のサンプルコンテナが、前記遠心分離アセンブリの軸の周りでの前記遠心分離アセンブリの回転の期間中に、前記第１のサンプルコンテナの軸が前記重力の方向に対して実質的に垂直であるように回転することを可能にする、
請求項１３に記載の方法。
【請求項２０】
遠心分離アセンブリを遠心分離アセンブリの軸の周りで回転させるステップであって、流体サンプルを収容するための１つ以上のサンプルコンテナが前記遠心分離アセンブリに接続される、回転させるステップと、
前記遠心分離アセンブリを前記回転させるステップの期間中に、超音波エネルギーを前記１つ以上のサンプルコンテナへと向かわせるために、トランスデューサアセンブリを使用し、第1のカップリングチャンバは、前記トランスデューザアセンブリと、前記１つ以上のサンプルコンテナの第1のサンプルコンテナの一部を取り囲み、前記第1のカップリングチャンバは、前記前記トランスデューサアセンブリを第1のサンプルコンテナと音響的に結合する接触媒質を含むステップと、
を含む、流体サンプルを処理する方法。
【請求項２１】
前記遠心分離アセンブリの軸が重力の方向に実質的に整列されている、請求項２０に記載の方法。
【請求項２２】
流体サンプルを処理するためのシステムであって、
前記システムの回転構成において遠心分離アセンブリの軸の周りを回転するように構成された遠心分離アセンブリであって、流体サンプルを収容するための１つ以上のサンプルコンテナが前記遠心分離アセンブリに接続される、遠心分離アセンブリと、
前記システムの超音波処理構成において、超音波エネルギーを前記１つ以上のサンプルコンテナへと向かわせるように構成され、前記１つ以上のサンプルコンテナは、前記超音波処理構成において、接触媒質を介して、トランスデューサアセンブリと音響的に結合するトランスデューサアセンブリと、
前記回転構成と前記超音波処理構成との間の遷移において前記遠心分離アセンブリの位置を調節する手段と、
を含むシステム。